(57)【要約】【課題】  調理の工程での早い段階で材料不具合を検出でき、使用者の使い勝手を向上させることができる。【解決手段】  被調理物を収納する加熱室２８と、調理を設定操作して情報を表示する操作表示部６と、制御手段２３と、を備えた加熱調理器において、加熱室２８にはパン容器５０を着脱自在に備え、加熱室２８の外に攪拌モータ５４を備え、パン容器５０内には攪拌モータ５４によって駆動する攪拌羽根５１を備え、制御手段２３は、攪拌モータ５４の通電電流を検出する電流検出手段６０５と、マイコン１５１を備え、マイコン１５１は、調理のモード別に攪拌モータ５４の規定電流値と規定時間を予め記憶し、電流検出手段６０５の検出値が前記規定電流値以上且つ規定時間以上継続と判断すると操作表示部６で警告表示し、調理を停止するものである【選択図】  図５
2014140504.tif 000002
【特許請求の範囲】
【請求項１】
被加熱物を収納する加熱室と、
前記被加熱物を加熱する加熱手段と、
前記加熱室に着脱自在に設けられるパン容器と、
前記加熱室の外部に設けられ、前記パン容器内の撹拌羽根に駆動力を与える撹拌モータと、
該攪拌モータの通電電流値を検出する電流検出手段と、
情報を表示する表示部と、
モード毎に前記攪拌モータの規定電流値と規定時間を記憶しており、前記電流検出手段が検出した通電電流値が、現在のモードの規定電流値より大となる時間が規定時間より長く継続したときに、前記表示部に警告を表示するとともに、前記撹拌モータを停止する制御手段と、
を備えることを特徴とする加熱調理器。
【発明の詳細な説明】
【技術分野】
【０００１】
本発明は、パン作りする加熱調理器に関するものである。
【背景技術】
【０００２】
特許文献１には、パンケースのセットミスまたは材料の入れ忘れまたは練り羽根のセットミスを使用者に表示することにより、セットミスを防ぐため、モータにより駆動される練り羽根と、モータの回転数を測定する回転数測定手段と、パンケースのセットミスまたは材料の入れ忘れまたは練り羽根のセットミスを報知するパンケースチェック表示手段と、回転数に応じてパンケースチェック表示手段を動作させる制御装置とを設けた自動製パン機が開示されている。
【０００３】
この自動製パン機では、ホールＩＣによって測定したモータの回転数に基づいて、材料の入れ忘れや練り羽根のロックパンケース等のセットミスを報知するとともに一旦調理工程を停止して、セットミスの修正後に調理工程を継続している。
【先行技術文献】
【特許文献】
【０００４】
【特許文献１】特開平９−４５４号公報
【発明の概要】
【発明が解決しようとする課題】
【０００５】
特許文献１の自動製パン器では、モータの回転数に基づいてセットミスを検出するので、モータが回転しないときにはセットミスを検出できないという問題があった。
【課題を解決するための手段】
【０００６】
本発明の加熱調理器は上記の問題を解決するものであり、被加熱物を収納する加熱室と、前記被加熱物を加熱する加熱手段と、前記加熱室に着脱自在に設けられるパン容器と、前記加熱室の外部に設けられ、前記パン容器内の撹拌羽根に駆動力を与える撹拌モータと、該攪拌モータの通電電流値を検出する電流検出手段と、情報を表示する表示部と、モード毎に前記攪拌モータの規定電流値と規定時間を記憶しており、前記電流検出手段が検出した通電電流値が、現在のモードの規定電流値より大となる時間が規定時間より長く継続したときに、前記表示部に警告を表示するとともに、前記撹拌モータを停止する制御手段と、を備えたものである。
【発明の効果】
【０００７】
本発明によれば、調理の早い段階で材料不具合を検出でき、使用者の使い勝手を向上させるものである。
【図面の簡単な説明】
【０００８】
【図１】一実施例の加熱調理器の本体の正面図。
【図２】同加熱調理器の本体から外枠を取り外した状態を前方側から見た斜視図。電子レンジの側面図。
【図３】同加熱調理器のパン容器を加熱室に設置した斜視図。
【図４】図３要部のＢ−Ｂ断面図。
【図５】一実施例の加熱調理器の調理中を説明するフローチャート。
【図６】同加熱調理器の概略的な制御回路構成を示すプロック図ある。
【図７】同加熱調理器の攪拌モータ動作時のモード別の規定電流値、規定時間を示す規定値表。
【発明を実施するための形態】
【０００９】
以下、図１〜図７を参照して、本発明の加熱調理器の一実施例を説明する。
【００１０】
図１〜４において加熱調理器の本体１は、加熱室２８の中に加熱する被調理物を入れ、マイクロ波やヒータ、水蒸気の熱を使用して被調理物を加熱調理する。
【００１１】
ドア２は、加熱室２８の内部に被調理物を出し入れするために開閉するもので、ドア２を閉めることで加熱室２８を密閉状態にし、被調理物を加熱する時に使用するマイクロ波の漏洩を防止し、熱を封じ込め、効率良く加熱することを可能とする。
【００１２】
取っ手９は、ドア２に取り付けられ、ドア２の開閉を容易にするものである。
【００１３】
ガラス窓２ｂは、調理中の食品の状態が確認できるようにドア２に取り付けられ、ヒータ等の発熱による高温に耐えるガラスを使用している。
【００１４】
次に、ドア３の下側に設けられた操作表示部６について説明する。操作表示部６は、ＬＣＤ表示器６０４に表示される手動調理の調理方法や、調理出力設定や調理温度設定や調理時間設定や調理仕上り設定やオーブン調理の予熱の有無設定等を選択し、スタートキー６０２を押し動作開始する。ＬＣＤ表示器６０４には、調理に必要な食材や調味料などの使用量を表示し、使用者は表示内容に従い調理準備を行なう。なお、オート調理メニューとは重量検出手段２５や温度センサ８５の検知入力とマイコン１５１の制御により自動的に調理するもので、調理出力や加熱時間や温度、分量等を設定する必要が無いものである。
【００１５】
操作表示部６は、ドア２の前面下側の操作パネル６ｂとドア２の前面下部に設けたＬＥＤ
表示部２４で構成される。
【００１６】
操作パネル６ｂには、メニューの決定や調理のスタートを入力するスタートキー６０２、スタートキーの近くに配置して設定の取り消しや調理の中止を入力する取消しキー６０１、各種の選択をする選択キー６０、手動調理の調理方法やオート調理メニュー、調理出力設定や調理温度設定や調理時間設定や調理仕上り設定や調理に必要な食材や調味料などの使用量、オーブン調理の予熱の有無設定等本体１の状態や操作などの情報を表示するＬＣＤ表示器６０４を備える。オート調理メニューとは重量検出手段２５や温度センサ８５の検知入力とマイコン１５１（図６）の制御により自動的に調理するもので、調理出力や加熱時間や温度、分量等を設定する必要が無いものである。
【００１７】
操作表示部６は、マイクロ波で被調理物を加熱するレンジ加熱手段７７（図６）、加熱室２８の加熱室上面に設けたヒータで被調理物を加熱するグリル加熱手段１２、水蒸気により被調理物を加熱する水蒸気発生手段４３、加熱室奥壁面２８ｂの上方と下方に設けた熱風ヒータ１４ａ、１４ｂなどによる熱風ユニット１１の熱風で加熱室２８を加熱するオーブン加熱手段や後述するパン生地作りから焼き上げまでを自動で行うパンを選択し、加熱する時間等の調理条件や複数種類あるパンのメニューを入力し、入力された内容や調理の進行状態を表示する。
【００１８】
設定により、電子レンジ調理、グリル調理、オーブン調理、スチーム・過熱水蒸気調理の４種類の調理方法を単独もしくは組み合わせて行うことにより多様な調理を行う。さらには、後述のパン作りのパン容器５０を加熱室２８内に設置し、パンなどの粉を捏ねて発酵から焼成する調理を行う。調理方法は特にこれらに限定されることはない。
【００１９】
水タンク４２は、水蒸気を作るのに必要な水を溜めておく容器であり、本体１の前面下側に設けられ、本体１の前面から着脱可能な構造とすることで給水および排水が容易にできるようになっている。
【００２０】
機械室２０は、加熱室底面２８ａと本体１の底板２１との間の空間部に設けられ、底板２１上には食品を加熱するためのマグネトロン３３、マグネトロン３３に接続された導波管（図示せず）、制御手段２３、マグネトロン３３から発振するマイクロ波の出力を制御するインバータ基板２２、その他、後述する各種部品、これらの各種部品を冷却するファン装置１５等が取り付けられている。このインバータ基板２２は制御手段２３により制御され所望の量のマイクロ波を被調理物に与え電子レンジ加熱を行う。
【００２１】
加熱室底面２８ａは、略中央部が凹状に窪んで空隙を形成しており、その空隙の中に回転アンテナ２６が設置されている。マイクロ波が一部に集中するのを防ぐため、マイコン１５１がアンテナモータ（図示せず）を制御して回転アンテナ２６を回転させて所望の攪拌動作を行っている。マグネトロン３３より放射されるマイクロ波は、導波管、回転アンテナ２６の下面に流入し、回転アンテナ２６で拡散されて加熱室２８内に放射される。
【００２２】
加熱室２８の後部には熱風ユニット１１が取り付けられ、熱風ユニット１１は加熱室奥壁面２８ｂの後部側に熱風ケースを設け、加熱室奥壁面２８ｂと熱風ケースとの間に熱風ファン３２とその外周側に位置するように熱風ヒータ１４ａ、および１４ｂを設けている。熱風ケースの後側に熱風ファン３２の熱風モータ１３を取り付け、そのモータ軸を熱風ケースに設けた穴を通して連結して熱風ファン３２の羽根を回転させて空気を循環している。
【００２３】
そして、熱風ユニット１１は加熱室奥壁面２８ｂに設けた空気の通り道となる熱風吸気孔３１と熱風吹出し孔３０を通して連結し、熱風ケース１１ａ内の熱風ファン３２を熱風モータ１３により回転することで、加熱室２８と熱風ユニット１１との空気を循環し、熱風ヒータ１４ａ、および１４ｂで循環する空気を加熱して熱風６３となる。後述のパン作りでは焼き上げる工程において加熱室２８内に熱風６３を循環して焼くものである。
【００２４】
加熱室上面の外側には、ヒータよりなるグリル加熱手段１２が取り付けられている。グリル加熱手段１２は、マイカ板にヒータ線を巻き付けて平面状に形成し、加熱室上面の外側に押し付けて固定し、加熱室上面を加熱して加熱室２８内の被調理物を輻射熱によって焼くものである。被調理物を比較的容易に一定温度に保って調理するのに有効である。また後述のパン作りでは発酵する工程において加熱室２８の温度を上昇させるものである。
【００２５】
また、加熱室底面２８ａには、複数個の重量検出手段２５、例えば前側左右に右側重量センサ２５ａ、左側重量センサ２５ｂ、後側中央に奥側重量センサ２５ｃが設けられ、その上に四角い形状の後述のテーブルプレート２４が載置されている。
【００２６】
重量検出手段２５の支持部材７５でテーブルプレート２４に載置した被調理物の重量情報を検出し、この情報を制御手段であるマイコン１５１（図６）に送られる。
【００２７】
加熱室２８の底部には被調理物を載置するターンテーブルレスのテーブルプレート２４が載置されている。
【００２８】
また加熱室２８には、加熱室２８の温度を検出する温度検出手段である温度センサ８５が設けられ、パン作り時に発酵や焼き上げの工程において加熱室２８の温度を検出するものである。
【００２９】
スチームユニット４３ａ（図６）は水蒸気発生手段４３と給水手段８７により成る。
【００３０】
水蒸気発生手段４３は、加熱室左側面２８ｃの外側面に取り付けられ、水蒸気を噴出するスチーム噴出口は加熱室２８内に臨ませている。スチーム調理は、被調理物を水の皮膜で覆い被調理物１を加熱する調理方法により、蒸し調理、空気中の酸素と食材の結合（被調理物の酸化）を抑制、被調理物中の水分の損失を抑制して被調理物の風味を保つ調理に特徴がある。
【００３１】
水蒸気発生手段４３は、アルミの鋳造で作られ、鋳造時にボイラー加熱手段であるシーズヒータを一体となるように埋め込んでいる。そのヒータの消費電力は６００Ｗ前後と大きく、水蒸気発生手段４３は短時間で水を沸騰できる温度に加熱することができる。
【００３２】
水蒸気発生手段４３への水の供給は、ポンプ手段８７を駆動することによって水タンク４２からパイプを通して給水手段８７へ供給され、パイプを通って水蒸気発生手段４３に供給され、水蒸気発生手段４３で加熱されて沸騰し水蒸気となって加熱室２８へ噴出する。
【００３３】
次に加熱室２８にパン容器５０をセットして行うパン作りに関する構造を説明する。図３はパン容器５０を加熱室２８に設置した斜視図、図４は図３要部のＢ−Ｂ断面図である。
【００３４】
パン容器５０はメニューに従って材料を分量通り入れて攪拌してパン生地５７とする容器で、内部底面に回転自在の攪拌羽根５１を備えている。パン容器５０の前側にハンドル９０を備えてドア２を開けた加熱室２８の前から着脱する。パン容器５０の左下部には、前後に回転するロックレバー９１を備えて加熱室２８に設けたツメと固定する。またパン容器５０の底部には駆動連結部５２を備えて、パン容器５０の底面の攪拌羽根５１と、機械室２０から加熱室２８内へ設けた攪拌駆動軸５３と結合する。
【００３５】
パン容器５０の上部には具材容器９４を載置する。この具材容器９４には、パン作りに必要な材料を調理の途中に加えるもので、例えばドライイースト（粉状）やレーズンなどの具材を入れておき、制御手段２３の制御により底部を開口してパン容器５０の中へ前記ドライイースト（粉状）やレーズンなどの具材を別々に落下させるものである。
【００３６】
装着ガイド５６は、ドア２を開いて加熱室底面１２ａに設置しているテーブルプレート２４を取外して、加熱室底面２８ａに設けた回転アンテナ２６の右側に固定する。具材容器９４を載置した状態でパン容器５０は装着ガイド５６で案内されて装着ガイド５６の所定位置に設置して、ロックレバー９１を回転して固定する。パン容器５０の内部底部に備えた攪拌羽根５１でパン生地５７を攪拌するときにパン容器５０が振れないように強固に固定している。
【００３７】
攪拌モータ５４は、機械室２０に備え、減速手段５５を経て攪拌駆動軸５３を回転させる。減速手段５５は小プーリ５５ａと、ベルト５５ｃと大プーリ５５ｂとで構成する。例えば、攪拌モータ５４の軸に設けた小プーリ５５ａを回転させ、ベルト５５ｃによって大プーリ５５ｂを回転して、大プーリ５５ｂの中心軸に設けた攪拌駆動軸５３を回転する。
【００３８】
また本体１の機械室２０の右側と加熱室２８の右側には、前記した具材容器９４で投入動作させるソレノイドなどによる具材投入駆動手段を備えている。
【００３９】
パン作りの工程について説明する。温度検出手段８５によってパン作り直前に検出した温度が２０℃と検出する場合、食パン一斤を作る時間は約２時間要し、パン作りの各工程は、制御手段２３に予め組込まれ生地の捏ねから発酵、焼き上げまで自動で調理を行う。
【００４０】
パン作り工程は、一般的に用いるパン作りの要領を基調としたもので、パン作りの全工程は、ねり工程、ドライイースト投入、ねかし工程、ねり工程、発酵工程、焼き上げ工程である。
【００４１】
ねり工程は、パン生地を作るために、攪拌モータ５４を動作して攪拌羽根５１を回転または停止さて材料を捏ねる。
【００４２】
発酵工程では、ねり工程時に投入されたイースト菌によって発酵させるもので、１次発酵工程、ガス抜き、２次発酵工程である。この１次発酵工程と２次発酵工程は温度検出手段８５の温度入力によってグリル加熱手段１２を動作して加熱室２８を温度制御する。最後に、温度検出手段８５の温度入力によって熱風ユニット１１を動作して加熱室２８を温度制御して熱風６３で焼き上げる焼き工程である。
【００４３】
操作表示部６によってパン作りの多数あるパンの種類の中から調理するパンを選択してスタートキー６０２を入力することで調理が開始する。
【００４４】
次に、図５、６、７を用いて、本実施例の加熱調理器の制御の概略を説明する。
【００４５】
図６は概略的な制御回路構成を示すプロック図ある。制御手段２３はマイコン１５１を有する回路で構成され、マイコン１５１の入力端子には動作を開始させるあるいは停止させるスタートキー６０２と取消しキー６０１と加熱室２８内の温度を検出する温度センサ８５と攪拌モータ駆動手段５３０の攪拌モータ５４の動作時の電流を検出する電流検出手段６０５が接続されている。また、マイコン１５１の出力端子には負荷としてインバータ電源２２を介してマグネトロン３３や電熱ヒータ１２、１４や蒸気発生手段４３と攪拌モータ駆動手段５３０が接続されている。
【００４６】
図７は、マイコン１５１に予め記憶されている規定値表であり、後述するように、モード毎の撹拌モータ５４の規定電流値と規定時間を示す。なお、表中のｋ、ｔは何れも正の係数であり、規定電流値は、０＜１ｋ＜３ｋ＜・・・＜１０ｋの大小関係を持ち、規定時間は、８ｔ＞７ｔ＞・・・＞１ｔの大小関係を持つ。なお、各モードの規定電流値、規定時間の具体的な値は、撹拌羽根５１や撹拌モータ５４等の特性に応じて適切な値を設定すればよく、図７に示す例に限定されるわけではない。
【００４７】
次に、図７の規定値表の利用方法を説明する。例えば、撹拌モータ５４が停止している「停止」モードに対応する規定電流値は「０」、規定時間は「８ｔ」である。「停止」モードでは、本来、電流検出手段６０５が検出する撹拌モータ５４の通電電流値は０（ゼロ）であるが、規定電流値０より大きい通電電流値が規定時間８ｔより長く継続したことを検出したときに、マイコン１５１は撹拌モータ５４の制御に異常が発生したと判断する。
【００４８】
同様に、パン生地をパン容器５０に入れ忘れた状態（または攪拌羽根５１の装着忘れした状態）で攪拌モータ５４が回転している「無負荷」モードや、制御手段２３が攪拌モータ５４を回転するように制御しているにもかかわらず何らかの原因で撹拌モータ５４が回転しない「ロック」モードでも、各々のモードに対応する規定電流値より大きい通電電流値が規定時間より長く継続したことを検出したときに、マイコン１５１は「無負荷」や「ロック」と判断することができる。
【００４９】
次に、図５を用いてベーカリー調理の動作フローチャートを説明する。同図に示すように、操作表示部６でパン作りを選択しスタートキー６０２を操作すると（Ｓ１）、ベーカリー機能調理中であるかを判断する（Ｓ２）。ベーカリー機能調理中であれば、攪拌モータ５４を動作させ（Ｓ３）、その通電電流値を検出する（Ｓ４）。
【００５０】
Ｓ５は、「ロック」が無いかを判断するステップであり、具体的には、攪拌モータ５４の通電電流値が、「ロック」モードの規定電流値１０ｋより大となる時間が規定時間１ｔより長い場合に、「ロック」と判断する。「ロック」と判断した場合、調理を停止し、操作表示部６に「ロック」である旨をエラー表示（Ｓ６）し、調理を終了する（Ｓ７）。
【００５１】
「ロック」でないと判断した場合は、次のステップＳ８でパン生地等の材料の入れ忘れを検出する。具体的には、攪拌モータ５４の通電電流値が「無負荷」モードの規定電流値１ｋより大となる時間が規定時間７ｔより長い場合に、「無負荷」と判断する。「無負荷」と判断した場合、調理を停止し、操作表示部６に「無負荷」である旨をエラー表示（Ｓ９）し、調理を終了する（Ｓ７）。
【００５２】
「無負荷」でないと判断した場合は、次のステップＳ１０で水の入れ忘れを検出する。具体的には、攪拌モータ５４の通電電流値が、「おもち」「うどん」「パン粉」「米粉」から選択されたメニュー（モード）に対応する規定電流値より大となる時間が規定時間より長い場合に、水の入れ忘れであると判断する。なお、メニューに応じて規定電流値、規定時間を異ならせたのは、材料によって撹拌モータ５４に与えられる負荷の大きさが異なるからである。水の入れ忘れであると判断した場合、調理を停止し、操作表示部６に「水の入れ忘れ」である旨をエラー表示（Ｓ１１）し、調理を終了する（Ｓ７）。
【００５３】
「水の入れ忘れ」がないと判断した場合は、正常とし判断して調理を継続し（Ｓ１２）、正常にパン作りのベーカリー機能調理の工程を終了する（Ｓ７）。
【００５４】
以上、本実施例によれば、パン作り調理の工程での早い段階で不具合を検出できる。また、材料不具合を検出する電気の使用量が少なく無駄を無くし、使い勝手をよくすることができる。さらに、撹拌モータが回転しない場合でも、不具合を検出することができる。
【符号の説明】
【００５５】
６  操作表示部
２３  制御手段
２８  加熱室
５０  パン容器
５１  攪拌羽根
５４  攪拌モータ５４
１５１  マイコン
６０５  電流検出手段
【図１】
2014140504.tif 000003
【図２】
2014140504.tif 000004
【図３】
2014140504.tif 000005
【図４】
2014140504.tif 000006
【図５】
2014140504.tif 000007
【図６】
2014140504.tif 000008
【図７】
2014140504.tif 000009